(57)【要約】【課題】香り、発熱特性及び粘着力とのバランスに優れた身体用の温熱具を提供する。【解決手段】  本実施形態の身体用の温熱具１は、通気性を有する第一シート１１と、第二シート１２と、第一シート１１および第二シート１２の間に介在配置され、被酸化性金属および炭素成分を含む発熱体１３と、第一シート１１の外面のうち着用者側に適用される面に設けられた第一粘着層１４，第二粘着層１５と、を備え、第一シート１１の外面周縁部の少なくとも一部に、第一粘着層１４，第二粘着層１５が設けられていない粘着層不在領域を有し、下記関係（ａ）、（ｂ）を満たし、香料により賦香されている。（ａ）前記温熱具中の炭素成分の含有量に対する香料の含有量の質量比（香料／炭素成分）が、０．２以上０．５２以下（ｂ）前記温熱具中の炭素成分の含有量が、０．８９ｍｇ／ｃｍ２以上【選択図】図１
2015016309.tif 000002
【特許請求の範囲】
【請求項１】
通気性を有する第一シートと、
第二シートと、
前記第一シートおよび前記第二シートの間に介在配置され、被酸化性金属および炭素成分を含む発熱体と、
前記第一シートの外面のうち着用者側に適用される面に設けられた粘着層と、を備え、
前記第一シートの外面周縁部の少なくとも一部に、前記粘着層が設けられていない粘着層不在領域を有し、
下記関係（ａ）、（ｂ）を満たし、香料により賦香されている、身体用の温熱具。
（ａ）前記温熱具中の前記炭素成分の含有量に対する前記香料の含有量の質量比（香料／炭素成分）が、０．２以上０．５２以下
（ｂ）前記温熱具中の前記炭素成分の含有量が、０．８９ｍｇ／ｃｍ２以上
【請求項２】
前記発熱体と前記第二シートとの間、又は前記第二シートに前記香料が賦香された繊維シート又は紙を含んで構成される、請求項１に記載の温熱具。
【請求項３】
前記香料が、前記紙に賦香されている、請求項２に記載の温熱具。
【請求項４】
前記発熱体が、内袋に収容され、前記第一シートと前記第二シートとの間に配置される、請求項１乃至３のいずれか一項に記載の温熱具。
【請求項５】
前記内袋は、前記第一シート側に配置される第三シートと、前記第二シート側に配置される第四シートとの周縁部を接合することで構成されている、請求項４に記載の温熱具。
【請求項６】
前記第三シートの通気度が、５０００秒／１００ｍｌ以下である、請求項５に記載の温熱具。
【請求項７】
前記第二シート及び前記第四シートで構成されるシート層全体の通気性が前記第一シート及び前記第三シートで構成されるシート層全体の通気性よりも低くなっている、請求項５又は６に記載の温熱具。
【請求項８】
前記粘着層は、前記第一シート側からの前記温熱具の平面視において、前記第一シートの前記発熱部が位置していない領域に設けられている、請求項１乃至７のいずれか一項に記載の温熱具。
【請求項９】
前記粘着層は、前記第一シート側からの前記温熱具の平面視において、前記発熱体と一部重なるように設けられている、請求項１乃至７のいずれか一項に記載の温熱具。
【請求項１０】
前記粘着層は、
並列して一方向に延在するとともに離間する一対の第一粘着層と、
前記一対の前記第一粘着層の間の領域に配置されるとともに前記第一粘着層に倣って同方向に延在する第二粘着層と、
を有する請求項１乃至９のいずれか一項に記載の温熱具。
【発明の詳細な説明】
【技術分野】
【０００１】
本発明は、身体用の温熱具に関する。
【背景技術】
【０００２】
近年、被酸化性金属の酸化反応により発熱する温熱具が使用されている。このような温熱具のうち、リラックス感、リフレッシュ感、入眠、安眠感などを誘発するために、香りを賦香したものが開発されている。
たとえば、特許文献１には、賦香した温熱具を着用者の両目に当接させて使用することが開示されている。
【０００３】
また、肌に貼り付けるタイプの温熱具として、特許文献２には、保水ゲル層にアロマオイルを含ませた携帯型温熱パッドが記載されている。
【先行技術文献】
【特許文献】
【０００４】
【特許文献１】特開２０１０−５１６９０号公報
【特許文献２】特開２００３−１３５５０９号公報
【発明の概要】
【発明が解決しようとする課題】
【０００５】
しかしながら、本発明者らが、身体に貼るタイプの温熱具に賦香することを検討したところ、従来の賦香量や賦香方法では、貼る箇所によっては感じられる香りが弱くなる場合があることが判明した。即ち、特許文献１記載のものは鼻に近い目に適用するものであるため、賦香量は少なくても済むが、身体の中でも背面側に貼付する場合等は、目に適用するものよりも賦香量を多くする必要があった。また、特許文献２のように、香料成分をゲル中に含ませると、香料の揮散が抑制される傾向にあるため、同様に貼る箇所によっては香料の効果が弱くなる場合があった。そこで、本発明者らは、香料の効果を有効に発揮させるため、従来の賦香品よりも賦香量を多くし、かつ粘着層や発熱体ではなくより揮散し易いシート部分に香料を含有させることを検討した。
【０００６】
以上の検討を行った結果、新たな課題が発生した。賦香した温熱具における使用時の発熱特性と着用者への粘着性について検討を行なったところ、長期保存した温熱具において、シートに多量に含有させた香料が発熱組成物中の炭素成分および身体へ貼るための粘着剤に吸着されることにより、発熱特性および粘着力において改善の余地があることが見出された。また、身体表面（肌）に貼る場合の粘着層の粘着力は、剥がす際の刺激を緩和する点から強度に一定の限度がある。すなわち、香料の含有量を高くすると、発熱特性、粘着力が低下しやすくなる一方、炭素成分の含有量を高くすると、十分な香りが得られない傾向があった。
【課題を解決するための手段】
【０００７】
そして更に鋭意検討を行った結果、香料と炭素成分を特定の割合で用い、炭素成分の含有量を特定量とすることで、香り、発熱特性及び粘着力のバランスに優れた温熱具が得られることが見出された。
【０００８】
すなわち、本発明は、
通気性を有する第一シートと、
第二シートと、
前記第一シートおよび前記第二シートの間に介在配置され、被酸化性金属および炭素成分を含む発熱体と、
前記第一シートの外面のうち着用者側に適用される面に設けられた粘着層と、を備え、
前記第一シートの外面周縁部の少なくとも一部に、前記粘着層が設けられていない粘着層不在領域を有し、
下記関係（ａ）、（ｂ）を満たし、香料により賦香されている、身体用の温熱具を提供する。
（ａ）前記温熱具中の前記炭素成分の含有量に対する前記香料の含有量の質量比（香料／炭素成分）が、０．２以上０．５２以下
（ｂ）前記温熱具中の前記炭素成分の含有量が、０．８９ｍｇ／ｃｍ２以上
【発明の効果】
【０００９】
本発明によれば、香り、発熱特性及び粘着力とのバランスに優れた、身体に貼付して使用する身体用の温熱具を提供できる。
【図面の簡単な説明】
【００１０】
【図１】本発明の一実施形態にかかる温熱具を示す平面図である。
【図２】図１のＩＩ−ＩＩ方向の断面図である。
【図３】変形例を示す断面図である。
【図４】発熱部を示す斜視図である。
【図５】温熱具に剥離紙を設けた状態を示す平面図である。
【図６】温熱具を外装体に収容した状態を示す断面図である。
【図７】温熱具から剥離紙を剥離する状態を示す平面図である。
【図８】温熱具を着用者に着用した状態を示す図である。
【図９】温熱具の変形例を示す平面図である。
【図１０】温熱具の変形例を示す断面図である。
【図１１】温熱具の粘着力の測定方法を説明する模式平面図である。
【図１２】温熱具の変形例を示す平面図である。
【発明を実施するための形態】
【００１１】
以下、本発明の実施形態を図面に基づいて説明する。なお、すべての図面において、同様な構成要素には同一符号を付し、その詳細な説明は重複しないように適宜省略される。
【００１２】
はじめに、図１〜図３を参照して、温熱具１の概要について説明する。
図１は、温熱具１の第一シート１１側からの平面図であり、図２、３は、図１のＩＩ−ＩＩ方向の断面図である。ただし、図２，３においては、剥離紙２が温熱具１に取り付けられている。
本実施形態の温熱具１は、着用者の身体に接するシートであり通気性を有する第一シート１１と、着用者の身体とは反対側に位置する第二シート１２と、第一シート１１および第二シート１２の間に介在配置され、発熱した際に水蒸気を発生する発熱体１３と、第一シート１１の外面のうち着用者側に適用される面に設けられた第一粘着層１４および第二粘着層１５を備える。さらに、温熱具１は、第一シート１１の外面周縁部の少なくとも一部に、第一粘着層１４および第二粘着層１５が設けられていない粘着層不在領域を有する。この場合、発熱体１３は、図２，３に示すように、さらに、第一シート１１側に配置される第三シートとして通気性を有するシート１７１と、第二シート１２側に配置される第四シートとしてシート１７２とにより内袋１７を設け、当該内袋１７の中に介在配置させてもよい。この場合、シート１７１が着用者の身体側に位置する。
この温熱具１は、温熱具１を着用した際に着用者側に、第一シート１１が位置するように構成されている。なお、本実施形態において、着用者の身体とは、顔などの頭部を除き、かつ粘着剤により温熱具１を貼付できる箇所である。例えば、背面、より具体的には、首の後ろ、首の後ろから肩にかけた部分、背中、腹部などが挙げられる。
【００１３】
第一シート１１の外面に、第一粘着層１４および第二粘着層１５が設けられている。これら粘着層は当該温熱具１を着用者の肌に固定するためのものである。
第一粘着層１４は並列して一方向に延在するとともに離間する一対の第一粘着層からなり、第二粘着層１５は前記一対の第一粘着層１４間の領域に配置されるとともに、第一粘着層１４に倣って同方向に延在している。
第一シート１１側からの温熱具１の平面視において、第一粘着層１４と第二粘着層１５との間の領域に発熱体１３が位置している。
第一シート１１側からの温熱具１の平面視において、第一粘着層１４と第二粘着層１５との間の領域には、粘着層が存在せず、第一シート１１の外面は、発熱体１３に空気が供給されるように構成されている。
粘着層は、第一シート１１側からの温熱具１の平面視において、発熱体１３と重ならない領域に設けることが好ましく、また、発熱体１３への空気の供給を確保する観点から、第一シート１１の外面周縁部の少なくとも一部に粘着層不在領域を設けている。第一シート１１の外面周縁部とは、第一シート１１の着用者側に接する面における外周近傍であって、発熱体１３の領域よりも外周側の領域である。粘着層不在領域は、その大きさ、数、位置は特に限定されないが、発熱体１３への空気の供給を充分に確保する観点から、離間して設けられた一対の第一粘着層１４の間の一部又は全部に設けられていることが好ましく、また、第二粘着層１５を設ける場合には、第一粘着層１４と第二粘着層１５との間の一部又は全部に設けられていることが好ましい。より具体的には、図２，３における第一粘着層１４及び／又は第二粘着層１５を上下に分割してもよく、発熱体１３の上部及び／又は下部に配置してもよく、これらの組み合わせでもよい。例えば、図１における温熱具１では、粘着層不在領域が、第一シート１１の周縁部に上下に３つずつ設けられている。
また、当該温熱具１は、発熱体１３を挟んで第一シート１１と反対側に位置する非通気層の第二シート１２を有する。なお、図２，３に示すように、さらに内袋１７を設け、当該内袋１７に発熱体１３を介在配置させる場合には、第二シート１２は通気性のシートであり、内袋１７を構成するシート１７２を非通気性とすることが好ましい。以降、本発明においては、図２，３に示すように、内袋１７を設ける場合を例に説明する。
【００１４】
このような温熱具１においては、発熱体１３を内在する発熱部１８のシート１７１と反対側には、非通気性のシート１７２が設けられており、通気性の第一シート１１及びシート１７１を介して発熱体に空気を供給するように構成されているので、発熱体１３で発生した水蒸気は、第二シート１２側から外部に放出されにくく、発熱体１３で発生した水蒸気を第一シート１１側から優先的に放出させることができる。これにより、着用者の肌へ確実に水蒸気を供給することができる。
また、第一シート１１側からの温熱具１の平面視において、第一粘着層１４と第二粘着層１５との間の領域には、粘着層が存在せず、第一シート１１の外面は、シート１７１を通して発熱体１３に空気が供給されるように構成されている。そのため、温熱具１を着用した際に、着用者の肌と第一シート１１との間に空気を供給し得る一方向に延在する経路ができ、第一シート１１及びシート１７１を介して発熱体１３に空気を良好に供給できる。これにより、所望の発熱特性を得ることができる。また、温熱具１を着用者の首の後ろ側に貼り付けた際に、髪の毛等が温熱具１の粘着層に付着してしまうことを防止できる。
【００１５】
次に、図１〜８を参照して本実施形態の温熱具１について詳細に説明する。
第一シート１１および第二シート１２は、温熱具１の外郭を構成するものである。本実施形態では、第一シート１１および第二シート１２はいずれも同一の大きさであり、同一平面形状である。本実施形態では、第一シート１１および第二シート１２、すなわち、温熱具１は、第一シート１１側からの平面視において、長手方向Ｘとこれに直交する幅方向Ｙを有する横長の形状をしている。すなわち、Ｘ軸方向の長さが、Ｙ軸方向の長さよりも長くなっており、たとえば、第一シート１１および第二シート１２は長手方向Ｘ方向に長辺を短手方向Ｙ方向に短辺を有する横長形状、具体的には平面視における形状が矩形形状、長円形状、楕円形状、ビーンズ形状等が好ましい。
このように、温熱具１を、第一シート１１側からの平面視において、横長の扁平形状とすることで、温熱具１を、背面部、より具体的には、首の後ろ側、背中、腰部分に着用者の左右方向に延在するように、貼り付けることができる。
【００１６】
温熱具１は、第一シート１１および第二シート１２の外周縁を貼り合わせる又は密閉シールすることで、内部に発熱部１８を収容する外袋（第一収容体）が構成されている。
なお、前述のとおり、第一シート１１と第二シート１２とを別体のシートで構成し、互いの外周縁を貼り合わせる又は密閉シールすることで、袋体を構成してもよく、また、第一シート１１と第二シート１２とを一連のシートで構成し、この一連のシートを折って、対向する外周縁同士を貼り合わせる又は密閉シールすることで袋体を構成してもよい。
【００１７】
第一シート１１は、温熱具１を着用者が着用した際に、着用者の肌側に位置する。第一シート１１は、通気性シートであり、その通気度の下限値は特に限定されず、０秒／１００ｍｌでもよいが、内側に位置する内袋１７が透けて見えてしまうことを防止し、かつシートの形態を維持する強度を得るための坪量等を考慮すると、１秒／１００ｍｌ以上であることが好ましい。また、第一シート１１は、シート１７１の通気性を妨げない点から、通気度が１０００秒／１００ｍｌ以下であることが好ましく、１００秒／１００ｍｌ以下であることがより好ましく、１０秒／１００ｍｌ以下であることがさらに好ましい。
【００１８】
第一シート１１としては、不織布をはじめとする繊維シートを使用できる。
通気度はＪＩＳ  Ｐ８１１７（１９９８年）によって測定される値であり、一定の圧力のもとで１００ｍｌの空気が６．４２ｃｍ２の面積を通過する時間で定義される。したがって、通気度が大きいことは空気の通過に時間がかかること、即ち通気性が低いことを意味している。逆に、通気度が小さいことは通気性が高いことを意味している。このように、通気度の大小と通気性の高低とは逆の関係を示す。通気度は、王研式通気度計で計測することができる。
【００１９】
第二シート１２は、本実施形態では、第一シート１１と同様、通気性シートで構成されている。ただし、美観の観点から第一シート１１と同様、不織布で構成することが好ましい。
【００２０】
ここで、温熱具１は、少なくともＸ軸方向に伸縮可能な構成としてもよい。たとえば、第一シート１１および第二シート１２を上述した通気性を有し、かつ、Ｘ軸方向に伸縮する伸縮性シートとしてもよい。伸縮性シートとしては、例えば、ＰＥＴ（ポリエチレンテレフタレート）等のポリエステル、ＰＥ（ポリエチレン）、ＰＰ（ポリプロピレン）等のポリオレフィン、ポリアミド、ポリアクリル等から選択される合成繊維；セルロース、シルク、コットン、ウール等から選択される天然繊維；又はそれらを複合した繊維等から構成されるシートがあげられる。或いは、伸縮性シートとしては、２種以上の繊維を用いて、エアスルー法、スパンボンド法、ニードルパンチ法、メルトブローン法、カード法、熱融着法、水流交絡法、溶剤接着法から選択される方法により製造された不織布を用いることもできる。また、不織布以外に、編み布等も使用できる。風合いや、弾力性の観点から、伸縮性シートとして伸縮性を有する不織布を用いることがより好ましい。伸縮性を有する不織布としては、構成繊維として弾性繊維（例えば、ポリウレタン、ポリエステル）を含むエアスルー不織布やスパンボンド不織布等が好ましく、風合いの観点から不織布をシリコーンや界面活性剤等で表面処理したものを使用することもできる。なお、第一シート１１と第二シート１２とを同種材料で構成された伸縮性シートとしてもよく、異種材料で構成された伸縮性シートとしてもよい。
【００２１】
発熱体１３は内袋１７に収容され、発熱部１８として第一シート１１と第二シート１２との間に配置される。この発熱体１３は、発熱した際に蒸気を発生するものであり、被酸化性金属、水、炭素成分を含有する発熱組成物で構成されている。
【００２２】
被酸化性金属は、酸化反応熱を発する金属であり、例えば、鉄、アルミニウム、亜鉛、マンガン、マグネシウム、カルシウム、これらのうち２種以上を混合した混合金属等の粉末や繊維が挙げられ、コスト、汎用性、取扱い易さの観点から鉄が好ましい。
【００２３】
炭素成分としては、保水能や、酸素供給能や、触媒能を有するものであり、例えば、活性炭、アセチレンブラック、及び黒鉛から選ばれる１種又は２種以上を用いることができ、コスト、発熱効率を高める観点から活性炭が好ましい。
【００２４】
温熱具１中の炭素成分の含有量は、温熱具１の平面視における全体の面積に対する炭素量として求められる。温熱具１の平面視における全体の面積とは、温熱具１が身体に貼付される面の面積であり、本実施形態においては、温熱具１の最外面であって身体側に配置される第一シート１１の面積である。ただし、身体に貼付される面は、粘着層が形成された部分に限定されない。また、温熱具１に附属する部分、例えば、使用後に温熱具１をはがし易くするために設けられたつまみ部分など、温熱具１による効果とは直接関係のないものは、温熱具１の平面視における全体の面積には含まれない。
温熱具１中の炭素成分の含有量は、発熱特性の観点から、０．８９ｍｇ／ｃｍ２以上が好ましく、０．９６ｍｇ／ｃｍ２以上がより好ましく、１．０４ｍｇ／ｃｍ２以上が更に好ましく、一方、香料の揮散効果を発揮する観点から、１．６３ｍｇ／ｃｍ２以下が好ましく、１．３８ｍｇ／ｃｍ２以下がより好ましく、１．２６ｍｇ／ｃｍ２以下が更に好ましい。また、０．８９〜１．６３ｍｇ／ｃｍ２が好ましく、０．９６〜１．３８ｍｇ／ｃｍ２がより好ましく、１．０４〜１．２６ｍｇ／ｃｍ２が更に好ましくい。これにより、香料の揮散効果を発揮しつつ、香料が粘着剤、及び炭素成分に吸着されることによって、粘着力、及び発熱特定が低下するのを抑制できる。
【００２５】
温熱具１中の炭素成分の含有量は、例えば、以下のようにして、測定できる。
（１）窒素気流下で発熱体を３ｇ前後秤量した後、１２０℃で３０分間乾燥して水分量を測定する。
（２）前記（１）で得られた乾燥物を少量の水（３ｍｌ）に分散してスラリー様物を用意する。
（３）メタタングステン酸ナトリウム７５％水溶液を用意し、密度勾配遠心法により炭素成分と被酸化性金属を分離する。スラリー様物：メタタングステン酸ナトリウム水溶液の質量比率を３：２５〜５：２５の範囲とし、５℃にて１万回転で３０分間遠心分離する。
（４）炭素成分を含む上層部のスラリーを取り出し、数回水洗して塩分、水溶性無機物を除去した後、乾燥質量を測り、温熱具１の平面視における総面積で除して炭素成分の含有量を算出する。
【００２６】
発熱体１３は、粉体や粉体の成形物であってもシート状であってもよく、本実施形態では、平面視において矩形形状（正方形、長方形）のシート状となっている。
【００２７】
発熱体１３は、たとえば、上述した発熱組成物を含むスラリー状物を作製し、このスラリー状物を基材層Ｓ（図２参照）上、または後述する基材層Ｒ（図１０参照）に塗工することで、得られるものであってもよい。
この場合、発熱体１３は、基材層Ｓおよび基材層Ｒとともに、後述する内袋１７内に収容されることとなる。
【００２８】
基材層Ｓとしては、水分の吸収保持が可能であり、通気性を有するシートを使用することが好ましい。基材層Ｓは、発熱組成物中の水分を一定量吸収してもよい。基材層Ｓの通気度（水分を吸収した状態）は、５０００秒／１００ｍｌ以下であることが好ましく、更には１０００秒／１００ｍｌ以下であることが好ましい。また、下限値は特に限定されないが０秒／１００ｍｌ以上、更に１秒／１００ｍｌ以上であることが好ましい。
基材層Ｓとしては、例えば繊維を原料とする紙、不織布、織物、編み物等の繊維シートが挙げられる。前記の繊維としては、例えば植物繊維及び動物繊維などの天然繊維を主成分とするものや化学繊維を主成分とするものが挙げられる。また、水分の吸水保持を容易にするために、必要に応じて吸水性素材、例えばα化澱粉や吸水性ポリマーなどを含んでもよい。
なお、基材層Ｓは、温熱具１を着用者が肌に着用した際、発熱体１３よりも肌側に位置してもよいし、発熱体１３よりも肌から遠い側に位置してもよい。
【００２９】
発熱体１３が粉体性状又はスラリー状の場合、内袋１７に入れ易くするために、発熱体１３は基材層Ｓ及びＲを含む３層構造（シート１７２側から基材層Ｒ／発熱体１３／基材層Ｓ）を取ってもよい（図１０）。基材層Ｒは内袋１７に入れる操作性を考慮して坪量が８０ｇ／ｍ２以下、好ましくは５０ｇ／ｍ２以下、更に好ましくは３５ｇ／ｍ２以下であることが好ましく、成膜性の点から１５ｇ／ｍ２以上であることが好ましい。基材層Ｒは通気性又は非通気性のいずれでもよく、通気性の場合は、通気度が５０００秒／１００ｍｌ以下であることが好ましく、更には１０００秒／１００ｍｌ以下であることが好ましい。また下限値は特に限定されないが、０秒／１００ｍｌ以上、更には１秒／１００ｍｌ以上であることが好ましい。基材層Ｒの素材としては、例えばＰＥやＰＰなどが用いられる。
【００３０】
また、発熱体１３は、抄紙機を使用して、抄紙法により製造したものであってもよい。この場合には、発熱組成物は前述した各成分に加えて、繊維材料を含むと好ましい。この場合には、図３に示すように、基材層Ｓは無くてもよい。
【００３１】
以上のような発熱体１３は、図２〜４に示すように、内袋（第二収容体）１７に収容される。発熱体１３と内袋１７とで発熱部１８が構成される。
内袋１７は、シート１７１と、シート１７２の周縁部を接合することで構成されている。シート１７１，１７２の周縁部以外の領域は非接合領域であり、非接合領域内に発熱体１３が配置される。
【００３２】
シート１７１は、温熱具１を着用者が肌に着用した際、発熱体１３よりも肌側に配置される。
シート１７１は、発熱部１８を構成するシートであり通気性を有する。シート１７１の通気度は、発熱温度を制御し、異常発熱を防ぐ観点から、５００秒／１００ｍｌ以上が好ましく、８００秒／１００ｍｌ以上がより好ましく、１３００秒／１００ｍｌ以上が更に好ましい。一方、良好な温度の立ちがり（５分以内）を得る観点から、５０００秒／１００ｍｌ以下が好ましく、３５００秒／１００ｍｌ以下がより好ましい。このような通気度を有するシート１７１としては、例えば透湿性は有するが透水性を有さない合成樹脂製の多孔性シートを用いることが好適である。具体的には、ポリエチレンに炭酸カルシウム等を含有させ延伸したフィルムを用いることができる。なお、前述のように内袋１７を設けない場合には、第一シート１１に当該シート１７１と同様の通気度を持たせることが好ましい。
【００３３】
シート１７２は、温熱具１を着用者が肌に着用した際、発熱体１３よりも肌よりも遠い側に位置する。
シート１７２は、本実施形態では、実質的に通気性を有しない非通気性シートである。ここで、実質的に通気性を有しない非通気性シートとは、空気を完全に通さない非通気性シートだけでなく、仮に空気を通すことがあったとしても、発熱体１３の発熱特性に影響を及ぼすほどの通気性は有しない（すなわち、空気を完全に通さない非通気性シートを使用した場合と同様の発熱特性となる）難通気性のシートも含む概念である。非通気性シートの通気度は、８０，０００秒／１００ｍｌ以上であり、好ましくは、１００，０００秒／１００ｍｌ以上である。さらに、好ましくは、１５０，０００秒／１００ｍｌ以上である。
【００３４】
シート１７２としては、一層又は多層のポリエチレンフィルム等の合成樹脂性のフィルムを使用することができる。また、一層又は多層の合成樹脂製のフィルムの外面にニードルパンチ不織布、エアスルー不織布、及びスパンボンド不織布から選択される１種又は２種以上の不織布をはじめとする各種の繊維シート並びに抄造により得られた紙をラミネートしたものを使用することができる。このような繊維シートならびに紙は、シート１７２の最外面を形成し、シート１７２は繊維シートや紙を含んで構成されることにより、賦香した香料を保持しやすくなる点から好ましい。なお、前述のように内袋１７を設けない場合には、第二シート１２を当該シート１７２と同様に実質的に通気性を有しない非通気性シートとすることが好ましい。
【００３５】
ここで、温熱具１が非通気性のシート１７２を有することで、第二シート１２、シート１７２、および基材層Ｒ（基材層Ｒがない場合には基材層Ｒを除く）で構成されるシート層全体の通気性は、第一シート１１、シート１７１、基材層Ｓ（基材層Ｓがない場合には基材層Ｓを除く）で構成されるシート層全体の通気性よりも低くなっている。換言すると、第二シート１２を最外層とし、第二シート１２から発熱体１３に至るまでのシート層全体の通気度は、第一シート１１を最外層とし、第一シート１１から発熱体１３に至るまでのシート層全体の通気度よりも高くなっている。
【００３６】
以上のような発熱部１８は、本実施形態では、平面視において矩形形状（より好ましくは正方形形状）である。
そして、以上のような発熱部１８は、前述した第一シート１１および第二シート１２で構成される外袋内部に収容される。本実施形態では、外袋内に複数の発熱部１８が収容されている。複数の発熱部１８は、外袋のＸ軸方向に沿って、離間配置されている。発熱部１８の一辺は、外袋の長辺と平行となっていてもよい。発熱部１８のシート１７２の一部はホットメルト系接着剤等の接着剤により、第二シート１２に固定されていてもよい。
本実施形態においては、第一シート１１、シート１７１、基材層Ｓにより、発熱体１３に空気を供給するための通気層が形成されることとなる。なお、発熱体１３が基材層Ｓ上に形成されない場合には、前記通気層は、第一シート１１、シート１７１で構成されることとなる。
【００３７】
次に、図１〜３を参照して、第一粘着層１４と第二粘着層１５について説明する。
第一粘着層１４および第二粘着層１５は、第一シート１１の外面に設けられている。第一粘着層１４および第二粘着層１５は、温熱具１を着用者の肌に取り付けるためのものである。
第一粘着層１４は一対からなり、該一対の第一粘着層１４は第一シート１１の外面に並列して一方向に延在するとともに離間配置され、好ましくは第一シート１１のＸ軸方向の端部にそれぞれ配置されている。更に好ましくは、該一対の第一粘着層１４は、第一シート１１の外面のＸ軸方向の中心を通る中心線Ｃ（短手方向に延びる縦中心線）を挟んで配置されており、好ましくは対称位置に配置されている。
本実施形態では、各第一粘着層１４は、第二粘着層１５と交差することなく、第一シート１１のＹ軸方向に沿って延在し、好ましくは、延在方向の両端部が第一シート１１の外周縁に達している。これにより、温熱具１を着用者に安定的に貼り付けることができる上、温熱具１を着用した際に、着用者の肌と第一シートとの間に空気を供給し得る一方向に延在する経路ができ、第一シート１１を介して発熱体に空気を良好に供給できる。
さらに好ましくは、該一対の第一粘着層１４は、第一シート１１の外面側からの平面視において、円弧状の外周縁が、第一シート１１のＹ軸方向の外周縁（円弧部分）と重なるように形成され半月形状となっている。
また、図１においては、第一シート１１側からの平面視において、第一粘着層１４、第二粘着層１５は、第一シート１１の発熱部１８が位置していない領域に設けられている。
なお、第一シート１１の外面側からの平面視において、一対の第一粘着層１４は、発熱体１３と重なっていないことが発熱特性の点で好ましい。
【００３８】
一方で、第二粘着層１５は、第一シート１１側からの平面視において、一対の第一粘着層１４間の領域に配置され、第一粘着層１４に倣って同方向に延在している。第二粘着層１５は、一対の第一粘着層１４と同方向、すなわち、第一シート１１のＹ軸方向に沿って延在している。これにより、温熱具１を着用者に安定的に貼り付けることができる上、温熱具１を着用した際に、着用者の肌と第一シート１１との間に空気を供給し得る一方向に延在する経路ができ、第一シート１１を介して発熱体１３に空気を良好に供給できる。
本実施形態では、第二粘着層１５は、第一シート１１側からの平面視において、矩形形状となっている。そして、第二粘着層１５の延在方向の両端部は、第一シート１１の外周縁に達しているとよい。すなわち、第二粘着層１５は、第一シート１１のＹ軸方向全長を被覆するように形成されているとよい。
【００３９】
また、第一粘着層１４を温熱具１のＸ軸方向の端部に配置し、かつ、第二粘着層１５を中心線Ｃの近傍に設けることで、発熱体１３が位置している、第一シート１１側からの平面視において、第一粘着層１４と第二粘着層１５との間の領域が広く確保されるため、温熱具１を着用した際に、着用者の肌と第一シート１１との間に空気を供給し得る一方向に延在する経路ができ、第一シート１１を介して発熱体１３に空気を良好に供給できる上、着用者に確実に温熱具１を固定することができるため好ましい。たとえば、着用者の首や首から肩にかけた背面のように特徴のある動きをする部分に、温熱具１を貼り付けても、温熱具１が剥がれてしまうことを防止できる。
また、上記では、第二粘着層１５を中心線Ｃの近傍位置に設ける例について説明したが、第二粘着層１５の位置はこれに限られない。例えば、中心線Ｃから、長手方向に平行移動してもよい。具体的には、第一シート１１側からの温熱具１の平面視において、図９に示すように、発熱特性の観点から、第二粘着層１５と、発熱体１３とは重ならず発熱部１８と重なりあってもよく、さらに、図１２に示すように、粘着力の観点から、第二粘着層１５と、発熱体１３とが重なり合っていてもよい。
【００４０】
本実施形態では、複数の第二粘着層１５が設けられており、複数の第二粘着層１５同士は離間している。本実施形態では、２つの第二粘着層１５が設けられている。複数の第二粘着層１５は、中心線Ｃを挟んで対称位置に配置されているとよい。複数の第二粘着層１５は、第一シート１１のＹ軸方向に沿って延在しているとよい。本実施形態では、一対の第二粘着層１５は平行に延在している。
本実施形態では、一対の第二粘着層１５の間には、粘着層が存在せず第一シート１１の外面が露出した露出領域１１１（粘着層不在領域）が形成されており、露出領域１１１は、Ｙ軸方向に延在し、平面視において矩形形状である。粘着層不在領域である露出領域１１１のＹ軸方向の両端部は、第一シート１１の外周縁まで達しているとよい。本実施形態では、この露出領域１１１は、第一シート１１のＸ軸方向の中心に位置し、露出領域１１１内を前述した中心線Ｃが通る。詳しくは後述するが、中心線Ｃは、温熱具１の折り曲げ線となる。この折り曲げ線上には、粘着層は存在しないとよい。
なお、本実施形態においては、第一シート１１側からの平面視において、露出領域１１１は、発熱体１３、さらには、発熱部１８と重なっていないことが折り曲げやすさや身体へのフィット性の点で好ましい。ただし、図９に示すように、露出領域１１１と、発熱部１８とは重なりあってもよい。
【００４１】
図１に示すように、第一シート１１外面の第一粘着層１４と隣接する第二粘着層１５との間の領域には、粘着層が存在せず、第一シート１１の外面が露出した露出領域１１２（粘着層不在領域）が形成されている。本実施形態では、第一シート１１外面には、一対の露出領域１１２が形成されている。
本実施形態では、一対の露出領域１１２の大きさおよび形状は同じであるが、異なっていてもよい。ここで、露出領域１１２は、第一粘着層１４の発熱体１３側の一辺と、第二粘着層１５の発熱体１３側の一辺と、第一シート１１の外周縁とで囲まれた領域である。このように、第一シート１１外面の第一粘着層１４と隣接する第二粘着層１５との間の領域には、粘着層が存在しないことで、空気の通りを粘着層に阻害されにくくなり、着用者の肌と発熱体１３との間に露出領域１１２を介して良好に空気を通すことができる。
【００４２】
露出領域１１２は、一対の露出領域、すなわち、露出領域（第一露出領域）１１２Ａと、露出領域（第二露出領域）１１２Ｂとを含んでいる。露出領域１１２Ａは、発熱体１３よりもＹ軸方向外側に位置する領域である。
露出領域１１２Ａは、第一粘着層１４と第二粘着層１５とが発熱体１３を挟む方向とは異なる方向（本実施形態では直交する方向）から発熱体１３を挟み、発熱体１３の外周縁（図１においては、発熱体１３を区画する上辺あるいは下辺）から第一シート１１の外周縁にまで達する。露出領域１１２Ａは、発熱体１３への空気供給に重要な役割を果たす箇所である。
発熱体１３の外周縁と第一シート１１の外周縁との間に粘着層を存在させず、発熱体１３のＸ軸方向の辺をＸ軸方向に延長した延長線と、第一粘着層１４の発熱体１３側の一辺と、第二粘着層１５の発熱体１３側の一辺と、第一シート１１の外周縁とで囲まれた領域全体を露出領域１１２Ａとすることで、露出領域１１２Ａを広い面積とすることができる。
露出領域１１２Ａを形成することで、空気が発熱体１３に良好に供給される。また、露出領域１１２Ａを形成することで、温熱具１を着用者の首の後ろや背中側に貼り付けた際に、髪の毛等が温熱具１の粘着層に付着してしまうことを防止できる。これにより、使い勝手のよい温熱具１とすることができる。
【００４３】
露出領域１１２Ｂは、露出領域１１２Ａに隣接するとともに、露出領域１１２Ａに連続して設けられている。この露出領域１１２Ｂは、発熱体１３を被覆しており、発熱体１３への空気供給に重要な役割を果たすもう一つの箇所である。本実施形態では、第一シート１１の外面側から見た平面視において、発熱体１３全体が露出領域１１２Ｂに被覆されている。換言すると、第一粘着層１４、第二粘着層１５は、発熱体１３とは重ならないように配置されており、発熱体１３は粘着層に被覆されていない。このようにすることで、発熱体１３に空気を供給しやすくすることができる。また、発熱体１３から発生する蒸気を着用者に確実に供給することができる。
前述したように、露出領域１１２Ａを広い面積としている。これにより、露出領域１１２Ａに隣接する露出領域１１２Ｂに確実に空気を供給することができ、露出領域１１２Ｂを介して、発熱体１３側に十分に空気を供給することができる。
本実施形態では、露出領域１１２のＸ軸方向の幅Ｗ１は、発熱体１３のＸ軸方向の幅Ｗ２よりも長く、さらには、発熱部１８のＸ軸方向の幅よりも長く、かつ、露出領域１１２のＹ軸方向の長さは、発熱体１３のＹ軸方向の長さ、さらには、発熱部１８のＹ軸方向の長さよりも長い。
なお、露出領域１１２のＸ軸方向の幅Ｗ１は、発熱体１３のＸ軸方向の幅Ｗ２よりも長いものの、発熱部１８のＸ軸方向の幅よりも短くてもよい（図９参照）。
【００４４】
また、露出領域１１２のＸ軸方向の幅Ｗ１は、露出領域１１１のＸ軸方向の幅Ｗ３よりも大きく、たとえば、幅Ｗ１は、幅Ｗ３の３〜１５倍となっている。
なお、第一粘着層１４および第二粘着層１５は、アクリル系樹脂、酢酸ビニル系樹脂、オレフィン系樹脂、ゴム系樹脂から選択される少なくとも１種または２種以上を含む粘着剤を、第一シート１１の外面に塗布することで形成される。粘着層を形成する樹脂としては、中でも、ホットメルト粘着剤とすることができる点から、酢酸ビニル系樹脂、オレフィン系樹脂、ゴム系樹脂から選択される少なくとも１種または２種以上であることが好ましい。
【００４５】
第一粘着層１４および第二粘着層１５は、粘着剤として、凝集力が高い点からホットメルト粘着剤を用いることが好ましい。ホットメルト粘着剤は一般に粘着基剤、粘着付与樹脂及び軟化剤を構成成分として含有している。
【００４６】
粘着基剤としては、スチレンブタジエンゴム（ＳＢＲ）、スチレン・ブタジエン・スチレンブロック共重合（ＳＢＳ）、スチレン・イソプレン・スチレンブロック共重合体（ＳＩＳ）、スチレン・エチレン・ブチレン・スチレンブロック共重合体（ＳＥＢＳ）、スチレン・エチレン・プロピレン・スチレンブロック共重合体（ＳＥＰＳ）等が挙げられる。粘着基剤の配合量は５〜５０重量％が好ましく、１０〜４０重量％に設定することがより好ましい。
【００４７】
粘着付与樹脂としては、ロジンおよびロジン誘導体、テルペン樹脂、石油樹脂があり、石油樹脂として脂肪族系石油樹脂、芳香族系石油樹脂、ジシクロペンタジエン系石油樹脂、これらの共重合系や水添石油樹脂系が挙げられる。粘着付与樹脂の配合量は１０〜６０重量％が好ましく、２０〜５０重量％に設定することがより好ましい。
【００４８】
軟化剤成分としては、軟化点が１０℃以下で重量平均分子量が２００〜７００のプロセスオイル、鉱油、各種可塑剤、ポリブテン、及び液状粘着付与樹脂等が挙げられる。軟化剤成分の配合量は粘着剤全体に対して１０〜６０重量％が好ましく、２０〜５０重量％に設定することがより好ましい。
【００４９】
以上の成分の他に、ホットメルト粘着剤には、酸化防止剤や紫外線吸収剤等の公知の添加剤を適宜配合してもよい。酸化防止剤としては、例えばフェノール系酸化防止剤、アミン系酸化防止剤、リン系酸化防止剤、ベンズイミダゾール系酸化防止剤等が用いられる。
【００５０】
上述のホットメルト粘着剤の塗布量は、１４０〜２２０ｇ／ｍ２が好ましく、１５０〜２００ｇ／ｍ２であることが、十分な粘着力の発現と、粘着剤の肌残りの防止の観点からより好ましい。
【００５１】
次に、図２，３，５を参照して、剥離紙２について説明する。図５は、図１の温熱具１に剥離紙２を取り付けた状態の平面図である。
温熱具１には、粘着層を全域覆う剥離紙２が設けられる。
剥離紙２は、少なくとも一対の剥離部２１，２２から構成されていると好ましく、本実施形態では、一対の剥離部２１，２２から構成される。
本実施形態では、剥離部２１は、一対の第一粘着層１４のうち一方の第一粘着層１４、一方の露出領域１１２、一対の第二粘着層１５のうち一方の第二粘着層１５、露出領域１１１、一対の第二粘着層１５のうち他方の第二粘着層１５および他方の露出領域１１２の一部を被覆する。そして、剥離部２１は、一対の第一粘着層１４のうち一方の第一粘着層１４および一対の第二粘着層１５の両方に接着している。
図５に示すように、剥離部２１の外周縁は、第一シート１１の外周縁と重なる外周縁部２１Ａと、他方の露出領域１１２上をＹ軸方向に延在する外周縁部２１Ｂとで構成されている。
【００５２】
本実施形態では、剥離部２２は、一対の第一粘着層１４のうち他方の第一粘着層１４を被覆するとともに、他方の露出領域１１２の他の一部を被覆する。そして、剥離部２２は、一対の第一粘着層１４のうち他方の第一粘着層１４に接着している。
図５に示すように、剥離部２２の外周縁は、第一シート１１の外周縁と重なる外周縁部２２Ａと、他方の露出領域１１２上をＹ軸方向に延在する外周縁部２２Ｂとで構成されている。
このように、第一シート１１側からの平面視において、剥離部２１と、剥離部２２とは、形状が異なっている。また、第一シート１１側からの平面視において、剥離部２１と、剥離部２２とは離間しており、外周縁部２２Ｂおよび外周縁部２１Ｂは対向している。また、外周縁部２２Ｂと外周縁部２１Ｂとは、他方の露出領域１１２上に位置しており、外周縁部２２Ｂと外周縁部２１Ｂとの間からは第一シート１１外面が露出している。本実施形態では、他方の露出領域１１２が露出している。外周縁部２２Ｂおよび外周縁部２１Ｂは中心線ＣからＸ軸方向にずれた位置にある。
【００５３】
前述したように、剥離部２１の外周縁部２１Ｂ、剥離部２２の外周縁部２２Ｂは、露出領域１１２上に位置している。そのため、剥離部２１の外周縁部２１Ｂ近傍の領域、剥離部２２の外周縁部２２Ｂ近傍の領域は、粘着層に接着していない。これにより、剥離部２１の外周縁部２１Ｂ近傍の領域、剥離部２２の外周縁部２２Ｂ近傍の領域を着用者が容易につまむことができる。従って、剥離紙２を容易に温熱具１から剥離することができる。本実施形態では、露出領域１１２のＸ軸方向の幅Ｗ１が、露出領域１１１のＸ軸方向の幅Ｗ３に比べて広い。そのため、露出領域１１１上に剥離部２１，２２の外周縁部２１Ｂ，２２Ｂを存在させる場合に比べて、露出領域１１２上に外周縁部２１Ｂ，２２Ｂを存在させたほうが、外周縁部２１Ｂ，２２Ｂと粘着層との間の距離を広く確保することが容易である。具体的には、剥離部２１の外周縁部２１Ｂと第二粘着層１５との間の距離、剥離部２２の外周縁部２２Ｂと第一粘着層１４との間の距離を広く確保でき、剥離部２１の外周縁部２１Ｂ近傍の粘着層に接着していない領域、剥離部２２の外周縁部２２Ｂ近傍の粘着層に接着していない領域を広く確保できる。
さらには、剥離部２１の外周縁部２１Ｂと剥離部２２の外周縁部２２Ｂとの間を離間することで、剥離紙２全体の面積を小さくすることができる。そのため、発生するごみの量を低減でき、かつ、コストも低減できる。
【００５４】
ここで、温熱具１の大きさについて説明する。
温熱具１は、着用者の首、中でも首の後ろから背面側に着用されるものであり、Ｘ軸方向の長さは、たとえば、１０〜３０ｃｍ、Ｙ軸方向の長さが５〜１０ｃｍである。
また、第一粘着層１４のＸ軸方向の最大幅は、１０〜８０ｍｍ、第二粘着層１５のＸ軸方向の幅は、２〜１０ｍｍであり、露出領域１１１のＸ軸方向の最大幅Ｗ３はたとえば、４〜１０ｍｍであり、露出領域１１２のＸ軸方向の幅Ｗ１はたとえば、１５〜１３０ｍｍである。
【００５５】
以上のような温熱具１は、図６に示すように、剥離紙２が取り付けられた状態で、外装体（包装体）３内に収容される。これにより、炭素成分の酸化を抑制できる。
剥離紙２が取り付けられた温熱具１を２つ折に折り曲げる。すなわち、露出領域１１１を延在方向に沿って中心線Ｃに沿って折り曲げる。このとき、第一粘着層１４，第二粘着層１５側が内側となるように、剥離紙２とともに、温熱具１を折り曲げる。
そして、外装体３内に収容し、外装体３を密閉する。外装体３は酸素バリア性を有するフィルムで構成される。このような外装体３と、剥離紙２が取り付けられた温熱具１とで、発熱物品１００を構成することができる。
【００５６】
本実施形態では、粘着層が存在しない露出領域１１１を折り曲げているので、温熱具１を折り曲げやすい。
また、剥離紙２が取り付けられた温熱具１を粘着層が内側となるように剥離紙２とともに折り曲げると、剥離紙は温熱具１本体より厚みが極端に薄く伸縮性が低いため、粘着剤同士が互いに接着してしまい接着剤ダマリが生じ、温熱具１を使用する際に、折りたたまれた温熱具１を広げることが困難となる場合がある。これに対し、本実施形態では、粘着層が設けられていない露出領域１１１を折り曲げているので、折りたたまれた温熱具１を容易に広げることができる。
また、露出領域１１１と、発熱体１３とが重なりあっておらず、発熱体１３を折り曲げる必要がないので、スムーズに温熱具１を折り曲げたり広げたりすることができる。本実施形態では、露出領域１１１が、発熱体１３のみならず、発熱部１８とも重なりあっていないので、スムーズに温熱具１を折り曲げたり広げたりすることができる。
さらに、本実施形態では、温熱具１は第一粘着層１４，第二粘着層１５によって着用者の肌に固定される。そのため、第一粘着層１４，第二粘着層１５側が内側となるように、剥離紙２とともに、温熱具１を折り曲げ、外装体３に収容することで、第一粘着層１４，第二粘着層１５や、第一シート１１を保護できる点が非常に好ましい。
また、温熱具１を折り曲げて、外装体３内に収容することで、温熱具１をコンパクトに外装体３内に収容することができ、発熱物品１００全体の小型化を図ることができる。
【００５７】
着用者が温熱具１を着用する際には、外装体３を開封し、外装体３から温熱具１を取り出す。その後、剥離紙２を温熱具１から剥離する。たとえば、図７に示すように、はじめに、剥離部２２を温熱具１から剥離する。その後、剥離部２２を剥離することで露出した一対の第一粘着層１４のうち一方の第一粘着層１４を着用者の肌に当接させる。具体的には、図８に示すように、温熱具１を着用者の首の後ろ側に配置し、温熱具１の長手方向が、着用者の左右方向に延在するように、温熱具１を首の後ろ側に貼り付ける。その後、温熱具１を肌に一部貼り付けた状態で、剥離部２１を温熱具１から剥離する。そして、剥離部２１を剥離することで露出した一対の第一粘着層１４のうち他方の第一粘着層１４、及び一対の第二粘着層１５を着用者の肌に貼り付ける。これにより、温熱具１が着用者に固定されることとなる。
このように、複数の剥離部のうち、一つの剥離部を剥離し、複数の粘着層のうちの一つの粘着層を露出させ、肌に固定することで、温熱具１を肌に固定する際に粘着層同士が互いにくっついてしまうことを防止できる。その後、一つの粘着層が肌に固定された状態で、残りの剥離部を剥離し、複数の粘着層のうち予め肌に固定した以外の粘着層を肌に貼り付けているため、温熱具１を所望の位置に安定して貼り付けることができる。
【００５８】
空気は、第一シート１１の外周縁と着用者の肌との間から入り込み、第一シート１１と着用者の肌との間を通り、第一シート１１の内側に入り込む。そして、シート１７１を（発熱体１３に基材層Ｓが第一シート１１側に設けられている場合には基材層Ｓも）介して、発熱体１３に供給される。これにより、所望の発熱特性を得ることができる。
なお、温熱具１の第二シート１２は、本実施形態では、通気性シートであるため、第二シート１２を介して空気が温熱具１内部に供給される。しかしながら、内袋１７のシート１７２は非通気層であるため、第二シート１２を通過した空気のほとんどは、発熱体１３にまで到達することはなく、第二シート１２側から発熱体１３に空気を供給することは非常に困難である。
【００５９】
発熱体１３中の被酸化性金属が、空気と接触することで、被酸化性金属が酸化し、発熱体１３が発熱する。発熱体１３が発熱することで、発熱体１３中の水分が蒸発し、蒸気が発生する。蒸気は、基材層Ｓ、シート１７１、第一シート１１（より具体的には第一シート１１の露出領域１１２Ｂ）を通じて温熱具１の外部に放出される。
なお、発熱体１３に基材層Ｓが設けられていない場合には、シート１７１、第一シート１１を介して蒸気が外部に放出される。
一方で、内袋１７のシート１７２は非通気層であるため、発熱体１３で発生した蒸気は、シート１７２により遮断されて、第二シート１２側から外部へはほとんど放出されない。これにより、シート１７１から優先的に蒸気を放出させることができ、着用者の肌に確実に蒸気を供給することができる。
【００６０】
なお、本発明は前述の実施形態に限定されるものではなく、本発明の目的を達成できる範囲での変形、改良等は本発明に含まれるものである。
たとえば、前述の実施形態では、シート１７２が非通気層であるとしたが、たとえば、第二シート１２、シート１７２のうち、いずれか一方を非通気層としてもよく、双方を非通気層としてもよい。
さらには、内袋１７内部に、非通気性のシートを配置してもよい。この場合には、発熱体１３よりもシート１７２側に非通気性のシートを配置する。この非通気性のシートは、第二シート１２側からの平面視において、発熱体１３全体を被覆するものであることが好ましい。この場合、第二シート１２、シート１７２は非通気層であってもよく、通気層であってもよい。
【００６１】
さらには、前述の実施形態では、第一シート側からの平面視において、第一粘着層１４の両端部、第二粘着層１５の両端部は、いずれも第一シート１１の外周縁に達していたが、これに限られるものではない。
たとえば、第一粘着層１４の端部が、第一シート１１の外周縁に達しておらず、第一粘着層１４の端部と、第一シート１１の外周縁との間に第一シート１１が露出した領域があってもよい。同様に、第二粘着層１５の端部が、第一シート１１の外周縁に達しておらず、第二粘着層１５の端部と、第一シート１１の外周縁との間に第一シート１１が露出した領域があってもよい。ただし、温熱具１を安定的に着用者に固定するためには、第一粘着層１４および第二粘着層１５のうち、少なくともいずれか一方の延在方向の端部、好ましくは両方の延在方向の端部は、前記第一シート１１の外周縁に達していることが好ましい。
【００６２】
また、たとえば、第一粘着層１４の端部が、第一シート１１の外周縁に達していない場合において、第一粘着層１４の発熱体１３側の一辺の延長線、第二粘着層１５の発熱体１３側の一辺、第一シート１１の外周縁とで囲まれた領域が、粘着層不存在領域である露出領域１１２となることが好ましい。このようにすることで、露出領域１１２の面積を広く確保できる。
すなわち、第一粘着層１４の発熱体側の一辺あるいは、その延長線と、第二粘着層１５の発熱体１３側の一辺あるいはその延長線と、第一シート１１の外周縁とで囲まれた領域が粘着層不存在領域である露出領域１１２となることが好ましい。
【００６３】
さらに、前述の実施形態では、第一シート１１側からの平面視において、第一粘着層１４及び／又は第二粘着層１５は、発熱部１８と重なりあっていなかったが、これに限らず、第一シート１１側からの平面視において、第一粘着層１４及び／又は第二粘着層１５の一部が発熱部１８の一辺と重なりあっていてもよい。たとえば、図９に示すように、発熱体１３と第一粘着層１４及び／又は第二粘着層１５とは重なりあわないものの、発熱部１８の内袋１７の一辺と第二粘着層１５とが重なってもよい。さらには、露出領域１１１と、発熱部１８の一部、たとえば、内袋１７の一辺とが重なりあってもよい。
さらには、発熱体１３と、第二粘着層１５とが重なってもよい。すなわち、第一シート１１側からの平面視において、第一粘着層１４と、第二粘着層１５との間に発熱体１３の一部が位置していればよい。ただし、発熱体１３の所望の発熱特性を得るという観点から、第一シート１１側からの平面視において、発熱体１３上から第二粘着層１５の一部がＸ軸方向（第一粘着層１４と、第二粘着層１５とが発熱体１３を挟む方向）にはみ出すように、第二粘着層１５を配置することが好ましく、なかでも、前述の実施形態のように、発熱体１３と第二粘着層１５とが重なり合わないように、第二粘着層１５を配置することが好ましい。
同様に、発熱体１３の所望の発熱特性を得るという観点から、第一シート１１側からの平面視において、発熱体１３上から第一粘着層１４のＸ軸方向の一部がはみ出すように第一粘着層１４を配置することが好ましく、なかでも、前述の実施形態のように、発熱体１３と第一粘着層１４とは重なり合わないように、第一粘着層１４を配置することが好ましい。さらには、第一粘着層１４と、第二粘着層１５とが発熱体１３を挟む方向（前述の実施形態では、Ｘ軸方向）に沿った発熱体１３の幅の８０％以上が、粘着層に被覆されていないことが好ましく、８５〜９５％が粘着層に被覆されていないことがより好ましい。また、第一シート１１側からの平面視における発熱体１３の表面積の８０％以上が粘着層と重ならないことが好ましく、発熱体１３の表面積の８５〜９５％が粘着層と重ならないことがより好ましい。
【００６４】
また、前述の実施形態では、発熱体１３は、内袋１７に収容されていたが、内袋１７は無くてもよい。内袋１７を設けない場合は、第一シート１１の通気度は内袋を設けた場合の第三シート（シート１７１）と同じとすることが好ましく、第二シート１２の通気度は内袋を設けた場合の第四シート（シート１７２）と同じとすることが好ましい。
さらに、前述の実施形態では、剥離部２１の外周縁部２１Ｂと、剥離部２２の外周縁部２２Ｂとの間に隙間が形成されていたが、外周縁部２１Ｂと外周縁部２２Ｂとが当接し、外周縁部２１Ｂ，２２Ｂ間に隙間がなくてもよい。
またさらに、前述の実施形態の温熱具１において、スリットを形成して、Ｘ軸方向に伸縮可能な構成としてもよい。
また、前述の実施形態では、温熱具１を首の後ろ側に貼り付けていたが、これに限らず、着用者の他の部位の肌面に貼り付けてもよい。
【００６５】
香料とは、例えば、下記成分Ａが挙げられ、これら１種又は２種以上含むことが好ましい。香料は、香料成分を有効成分として含む香料組成物として用いられていてもよい。
〔成分Ａ〕
鎖状モノテルペンアルコール類、セスキテルペンアルコール類、モノテルペンアルコール若しくは脂環式アルコールの酢酸エステル類、ジヒドロジャスモン酸メチル、ヨノン、又はダマスコン
【００６６】
鎖状モノテルペンアルコール類としては、例えばゲラニオール、シトロネロール、リナロール、ジヒドロリナロール、エチルリナロール、ネロール、ミルセノールなどを用いることができる。
【００６７】
セスキテルペンアルコール類としては、鎖状のもの及び環状のもののいずれも用いることができる。鎖状のセスキテルペンアルコール類としては、例えばファルネソールやネロリドールなどを用いることができる。環状のセスキテルペンアルコール類としては、例えばサンタロール、セドロール、ベチベロール（混合体）、パチュリアルコールなどを用いることができる。
【００６８】
モノテルペンアルコールの酢酸エステル類としては、酢酸リナリル、酢酸ゲラニル、酢酸シトロネリル、酢酸エチルリナリル、酢酸ラヴァンジュリル、酢酸メンタニルなどを用いることができる。また、脂環式アルコールの酢酸エステル類としては、酢酸ｏ−ｔｅｒｔ−ブチルシクロヘキシルや酢酸ｐ−ｔｅｒｔ−ブチルシクロヘキシルなどが挙げられる。
【００６９】
十分な香り立ちや、保存中の香りの変化の確実な防止の観点からは、成分Ａの含有量は、香料組成物全体に４０質量％以上が好ましく、５０質量％以上がより好ましく、６０質量％以上が更に好ましい。２種類以上用いる場合には、それらの合計量が４０質量％以上であることが好ましい。
【００７０】
また、上記香料成分を有効成分として含む香料組成物であれば精油を用いることもできる。そのような精油としては、例えば天然精油の一種であるラベンダーオイル、カモミールオイル、ラバンジンオイル、ローズマリーオイル及びゲラニウムオイル等が挙げられる。
【００７１】
またさらに、上記香料成分に加え、本発明の効果を妨げない範囲であれば、香料組成物に溶剤等を混合してもよい。使用可能な溶剤としては、ジプロピレングリコール、エチルジグリコール、イソプロピルミリステート、ベンジルベンゾエート、トリエチルシトレート及びジエチルフタレート等が挙げられる。
【００７２】
一方、上記香料成分とは別の香気成分である以下の香料成分Ｂの含有量が少ないことが、温熱具１の使用時における香り立ち及び保存中の香りの変化の防止の観点から非常に有効である。この観点から、香料組成物における以下の香料成分Ｂの含有量は、好ましくは５０質量％以下であり、より好ましくは４０質量％以下、さらに好ましくは２０質量％以下、殊更好ましくは実質的に含んでいないことである。
【００７３】
〔成分Ｂ〕
テルペン系炭化水素又は芳香族アルコール。
【００７４】
テルペン系炭化水素としては、鎖状のものであるミルセン及びファルネセン等；環状のものであるピネン、リモネン、カンフェン、フェランドレン、ターピネン、ターピノレン、ｐ−サイメン、セドレン、カリオフィレン等が挙げられる。
【００７５】
芳香族アルコールとしては、香気成分として用いられる各種の化合物、例えばベンジルアルコール、フェニルエチルアルコール、パンプルフルール（２−メチル−４−フェニルペンタノール）、ジメチルベンジルカルビノール、フェニルヘキサノール（３−メチル−５−フェニルペンタノール）等が挙げられる。
【００７６】
香料組成物を調合する場合、上記成分Ａ及び成分Ｂ以外に、例えば「合成香料  化学と商品知識」（印藤元一著  化学工業日報社）に記載の香料成分を、本発明の効果を妨げない範囲で配合することもできる。具体的には、ヘキシルシンナミックアルデヒド、２−メチル−３−（４−ｔｅｒｔ−ブチルフェニル）−プロパナール、４−（４−ヒドロキシ−４−メチルペンチル）−３−シクロヘキセン−１−カルボキシアルデヒド、バニリン等のアルデヒド類；アネトール、オイゲノール等のフェノール類；γ−ノナラクトン、γ−ウンデカラクトン等のラクトン類が挙げられる。成分Ａ及び成分Ｂに属さない香料成分の含有量は、香料組成物中に５０質量％以下が好ましい。
【００７７】
賦香する方法としては、例えば、温熱具１を構成するシートに、香料組成物をスプレー等で直接添加する方法、香料組成物を溶剤等に溶解してシートを浸漬する方法、又は液状の香料や香料組成物を溶剤等に溶解したものを構成するシートに塗工する方法などがある。更に、粉体や油脂の担体に賦香して、粉末香料やペースト状の賦香物をシートに貼付する方法などを採用することができる。
【００７８】
温熱具１に賦香する位置は、液状の香料組成物を、種々の位置に施すことができる。香料組成物の香り立ちを良好にする観点から、香料組成物は、発熱体１３に近い位置のシートに賦香することが好ましい。具体的には、温熱具１を構成するシートとして、第一シート１１、第二シート１２、シート１７１、シート１７２が挙げられるが、より効果的に香りを感じさせる観点から、第二シート１２、シート１７２がより好ましく、シート１７２がさらに好ましい。
【００７９】
より詳細には、香料組成物は、発熱部１８の外面を構成するシート１７２の材料中の繊維シート又は紙に施されていることが好ましい。シート１７２に非通気性の材料を積層する場合には、発熱部１８の最も外側に賦香した繊維シート又は紙が配置されるようにするのが好ましい。これによって、発熱体１３や第一粘着層１４，第二粘着層１５への影響を少なくすることができ、保存により発熱温度や粘着力の低下を極力低減することができる。この場合、香料組成物を施す紙の種類に特に制限はなく、木材パルプを主たる原料とする一般的な紙を用いることができる。また、賦香可能な材質であれば、紙のほか不織布、織布等の繊維材料により構成されたシート材や、多孔質性フィルム等、吸湿・吸油性を有するシートも使用できる。なお、前述のように内袋１７を設けない場合には、第二シート１２に賦香することが好ましい。この場合、第二シート１２は繊維シート又は紙を含んで構成され、繊維シート又は紙に賦香されることがより好ましく、紙に賦香されることがより好ましい。
【００８０】
香料組成物の使用量としては、温熱具１中の炭素成分の含有量に対する香料の含有量の質量比（香料／炭素成分）が、０．２以上０．５２以下である。これにより、使用時に香りが感じられるとともに、適度な発熱特性が得られる。発熱特性の観点から、０．３２以上がより好ましく、０．３４以上がさらに好ましい。一方、香り効能の観点から、０．５以下が好ましく、０．４６以下が更に好ましい。また、香り、発熱特性及び粘着力とのバランスの観点から、０．３２以上０．５以下が好ましく、０．３４以上０．４６以下がより好ましい。
また、本発明における香料の含有量とは、温熱具１を使用する直前の香料の含有量であり、使用により香料が揮発してしまった後を意味するものではない。
温熱具１中の香料の含有量は、温熱具１中の炭素成分の含有量にもよるが、使用時に香りが感じられる観点から、０．２５ｍｇ／ｃｍ２以上が好ましく、０．２９ｍｇ／ｃｍ２以上がより好ましく、０．３４ｍｇ／ｃｍ２以上が更に好ましく、そして、適度な発熱特性が得られる観点から、０．７ｍｇ／ｃｍ２以下が好ましく、０．６ｍｇ／ｃｍ２以下がより好ましく、０．５５ｍｇ／ｃｍ２以下が更に好ましい。
【００８１】
香料の含有量を測定する方法は、特に限定されないが、例えば以下のようにして測定できる。
有機溶剤を使用して賦香された温熱具１から直接香料成分を抽出し、得られた抽出物を検出器に質量分析計を備えたガスクロマトグラフィーにより測定することで定量分析することができる。また、ヘッドスペース導入装置を備えたガスクロマトグラフィーシステムを用い、予め香料含有量とその揮発量との関係をグラフ化した検量線に照らし合わせることで、含有量を見積もることもできる。
【００８２】
本発明の温熱具１によれば、下記関係（ａ）、（ｂ）を満たすことで、香料の含有量を高くすると、発熱特性、粘着力が低下しやすくなる一方、炭素成分の含有量を高くすると、十分な香りが得られない傾向に対し、香り、発熱特性及び粘着力とのバランスに優れた温熱具１が得られる。
（ａ）温熱具１中の炭素成分の含有量に対する香料の含有量の質量比（香料／炭素成分）が、０．２以上０．５２以下
（ｂ）温熱具１中の炭素成分の含有量が、０．８９ｍｇ／ｃｍ２以上
また、着用者の背面に本発明の温熱具１を粘着適用した場合であっても、十分な量の香料を含有しているため、着用者が香りを感じられる。
【００８３】
上述した実施形態に関し、本発明はさらに以下の組成物、製造方法、或いは用途を開示する。
【００８４】
＜１＞通気性を有する第一シートと、
第二シートと、
前記第一シートおよび前記第二シートの間に介在配置され、被酸化性金属および炭素成分を含む発熱体と、
前記第一シートの外面のうち着用者側に適用される面に設けられた粘着層と、を備え、
前記第一シートの外面周縁部の少なくとも一部に、前記粘着層が設けられていない粘着層不在領域を有し、
下記関係（ａ）、（ｂ）を満たし、香料により賦香されている、身体用の温熱具。
（ａ）前記温熱具中の前記炭素成分の含有量に対する前記香料の含有量の質量比（香料／炭素成分）が、０．２以上０．５２以下
（ｂ）前記温熱具中の前記炭素成分の含有量が、０．８９ｍｇ／ｃｍ２以上
【００８５】
＜２＞前記粘着層が、アクリル系樹脂、酢酸ビニル系樹脂、オレフィン系樹脂、ゴム系樹脂から選択される少なくとも１種または２種以上、より好ましくは、酢酸ビニル系樹脂、オレフィン系樹脂、ゴム系樹脂から選択される少なくとも１種または２種以上を含む、＜１＞に記載の温熱具。
＜３＞前記温熱具が、着用者身体の背面に粘着着用される、＜１＞または＜２＞に記載の温熱具。
＜４＞前記発熱体と前記第二シートとの間、又は前記第二シートに前記香料が賦香された繊維シート又は紙を含んで構成される、＜１＞乃至＜３＞のいずれか一に記載の温熱具。
＜５＞前記香料が、好ましくは紙に賦香されている、＜４＞に記載の温熱具。
＜６＞前記香料の含有量が、前記温熱具中に好ましくは０．２５ｍｇ／ｃｍ２以上、より好ましくは０．２９ｍｇ／ｃｍ２以上、更に好ましくは０．３４ｍｇ／ｃｍ２以上、そして、好ましくは０．７ｍｇ／ｃｍ２以下、より好ましくは０．６ｍｇ／ｃｍ２以下、更に好ましくは０．５５ｍｇ／ｃｍ２以下である、＜１＞乃至＜５＞のいずれか一に記載の温熱具。
＜７＞前記第一シート側からの平面視において、前記粘着層は、前記第一シートの前記発熱部が位置していない領域に設けられている、＜１＞乃至＜６＞のいずれか一に記載の温熱具。
【００８６】
＜８＞前記温熱具は、平面視において、長手方向とこれに直交する幅方向を有する横長の形状をしている、＜１＞乃至＜７＞のいずれか一に記載の温熱具。
＜９＞前記温熱具は、平面視において、平面視における形状が矩形形状、長円形状、楕円形状、ビーンズ形状のいずれかである、＜１＞乃至＜８＞のいずれか一に記載の温熱具。
＜１０＞前記温熱具中の前記炭素成分の含有量は、０．８９ｍｇ／ｃｍ２以上が好ましく、０．９６ｍｇ／ｃｍ２以上がより好ましく、１．０４ｍｇ／ｃｍ２以上が更に好ましい、＜１＞乃至＜９＞のいずれか一に記載の温熱具。
＜１１＞前記温熱具中の前記炭素成分の含有量は、１．６３ｍｇ／ｃｍ２以下が好ましく、１．３８ｍｇ／ｃｍ２以下がより好ましく、１．２６ｍｇ／ｃｍ２以下が更に好ましい、＜１＞乃至＜１０＞のいずれか一に記載の温熱具。
＜１２＞前記温熱具中の前記炭素成分の含有量に対する前記香料の含有量の質量比（香料／炭素成分）は、０．２以上０．５２以下であって、０．３２以上がより好ましく、０．３４以上がさらに好ましい、＜１＞乃至＜１１＞のいずれか一に記載の温熱具。
＜１３＞前記温熱具中の前記炭素成分の含有量に対する前記香料の含有量の質量比（香料／炭素成分）は、０．２以上０．５２以下であって、０．５以下が好ましく、０．４６以下が更に好ましい、＜１＞乃至＜１２＞のいずれか一に記載の温熱具。
＜１４＞前記発熱体が、内袋に収容される、＜１＞乃至＜１３＞のいずれか一に記載の温熱具。
＜１５＞前記内袋は、前記第一シート側に配置される第三シートと、前記第二シート側に配置される第四シートとの周縁部を接合することで構成されている、＜１４＞に記載の温熱具。
＜１６＞前記第三シートの通気度が、好ましくは５００秒／１００ｍｌ以上、より好ましくは８００秒／１００ｍｌ以上、更に好ましくは１３００秒／１００ｍｌ以上であり、そして、好ましくは５０００秒／１００ｍｌ以下、より好ましくは３５００秒／１００ｍｌ以下である、＜１５＞に記載の温熱具。
＜１７＞前記第一シート１１の通気度が、好ましくは０秒／１００ｍｌ以上、より好ましくは１秒／１００ｍｌ以上であり、また、好ましくは１０００秒／１００ｍｌ以下、より好ましくは１００秒／１００ｍｌ以下、更に好ましくは１０秒／１００ｍｌ以下である、＜１４＞乃至＜１６＞のいずれか一に記載の温熱具。
＜１８＞前記第四シートが実質的に通気性を有しない非通気性シートである、＜１５＞乃至＜１７＞のいずれか一に記載の温熱具。
＜１９＞前記第二シート及び前記第四シートで構成されるシート層全体の通気性が前記第一シート及び前記第三シートで構成されるシート層全体の通気性よりも低くなっている、＜１５＞乃至＜１８＞のいずれか一に記載の温熱具。
＜２０＞前記粘着層は、前記第一シート側からの前記温熱具の平面視において、前記発熱体と一部重なるように設けられている、＜１＞乃至＜１９＞のいずれか一に記載の温熱具。
＜２１＞前記粘着層は、
並列して一方向に延在するとともに離間する一対の第一粘着層と、
前記一対の前記第一粘着層の間の領域に配置されるとともに前記第一粘着層に倣って同方向に延在する第二粘着層と、
を有する＜１＞乃至＜２０＞のいずれか一に記載の温熱具。
＜２２＞前記温熱具の平面視において、前記発熱体が、前記第一粘着層と前記第二粘着層との間に形成された前記粘着層不在領域である露出領域に位置している、＜２１＞に記載の温熱具。
＜２３＞前記粘着層を覆う剥離紙が設けられている、＜１＞乃至＜２２＞のいずれか一に記載の温熱具。
＜２４＞前記剥離紙は、少なくとも一対の剥離部からなり、
一方の前記剥離部は、一対の前記第一粘着層のうち一方の前記第一粘着層及び一対の前記第二粘着層を覆い、
他方の前記剥離部は、一対の前記第一粘着層のうち他方の前記第一粘着層を覆う、＜２３＞に記載の温熱具。
＜２５＞一対の前記剥離部は、前記第一シート側からの前記温熱具の平面視において、互いに離間している、＜２４＞に記載の温熱具。
＜２６＞前記第二粘着層が前記温熱具の縦中心線の近傍に設けられている、＜２１＞乃至＜２５＞のいずれか一に記載の温熱具。
＜２７＞前記第二粘着層が複数設けられており、複数の前記第二粘着層同士は互いに離間することで前記粘着層が設けられていない粘着層不在領域が形成されている、＜２１＞乃至＜２５＞のいずれか一に記載の温熱具。
＜２８＞複数の前記第二粘着層は、前記温熱具の縦中心線を挟んで対称位置に配置されている、＜２７＞に記載の温熱具。
＜２９＞前記縦中心線が前記温熱具の折り曲げ線であり、当該折り曲げ線上には前記粘着層が存在しない、＜２８＞に記載の温熱具。
＜３０＞前記粘着層は、粘着基剤、粘着付与樹脂及び軟化剤を構成成分として含有している、＜１＞乃至＜２９＞のいずれか一に記載の温熱具。
＜３１＞前記温熱具が、着用者身体の、首の後ろ、首の後ろから肩にかけた部分、背中、腹部の少なくともいずれかに粘着着用される、＜１＞乃至＜３０＞のいずれか一に記載の温熱具。
＜３２＞＜１＞乃至＜３１＞のいずれか一に記載の温熱具を身体に粘着貼付して使用する方法。
＜３３＞＜１＞乃至＜３１＞のいずれか一に記載の温熱具を使用して香気成分を得る方法。
【実施例】
【００８７】
次に、本発明の実施例について説明する。
【００８８】
実施例１
＜温熱具１の作成＞
以下のようにして、図１，１０に示した温熱具１を製造した。
【００８９】
〔発熱粉体水分散物の製造〕
被酸化性金属１００質量部、炭素成分８質量部、水６２質量部、反応促進剤１１質量部、増粘剤０．２質量部、を用意し、次の手順で調整した。増粘剤を水に溶解し、次いで反応促進剤を溶解して水溶液を用意し、一方で被酸化性金属、炭素成分をプレ混合した粉体を用意し、水溶液にプレ混合粉体を入れ、ディスクタービン型攪拌羽根で１５０ｒｐｍ、１０分間攪拌してスラリー状の発熱粉体水分散物を得た。
なお、被酸化性金属、炭素成分、水、反応促進剤、及び増粘剤の種類、製品名及び製造元は以下のとおりである。
・被酸化性金属：鉄粉（鉄粉ＲＫＨ、平均粒径４５μｍ、ＤＯＷＡ  ＩＰ  クリエイション株式会社製）
・炭素成分：活性炭（カルボラフィン、平均粒径４０μｍ、日本エンバイロケミカルズ株式会社製）
・水：水道水
・反応促進剤：塩化ナトリウム（局方塩化ナトリウム、大塚化学株式会社製）
・増粘剤：キサンタンガム（エコーガムＢＴ、ＤＳＰ五協フード＆ケミカル株式会社製）
【００９０】
〔発熱体１３の製造〕
基材層Ｓとして、木材パルプ製の紙Ａ（２０ｇ／ｍ２、伊野紙株式会社製）と吸水性ポリマー（ポリアクリル酸ナトリウム、球状、平均粒子径３００μｍ、５０ｇ／ｍ２、アクアリックＣＡ、株式会社日本触媒製）と木材パルプ製の紙Ｂ（３０ｇ／ｍ２、伊野紙株式会社製）をこの順に積層して一体化したポリマーシート（通気度１秒／１００ｍｌ）を使用した。
基材層Ｒとして非通気性のポリエチレンシート（坪量２７ｇ／ｍ２）を用意し、１セルの大きさである２５ｃｍ２（５ｃｍ×５ｃｍ）の基材層Ｒに上記発熱粉体水分散物を２５ｃｍ２（５ｃｍ×５ｃｍ）の範囲に、表１に示したように１．４〜１．９ｇ／２５ｃｍ２まで、０．１ｇ／２５ｃｍ２刻みで塗布し、基材層Ｓの紙Ｂ側を塗布面に向けて積層したものを発熱体１３とした。また、後述する温熱具１に対する活性炭量（ｍｇ／ｃｍ２）を、表１に示した。
【００９１】
〔発熱部１８の製造〕
シート１７１（通気度１，７００秒／１００ｍｌ）とシート１７２（非通気性シート）である内袋１７内に発熱体１３を入れて、周縁部を密閉シールした。このとき、基材層Ｓ側が、シート１７１側（通気側）に位置するように、発熱体１３を配置した。これにより、発熱部１８を得た。
シート１７２（非通気性シート）はＰＥシート（３５ｇ／ｍ２）と木材パルプ製の紙（３５ｇ／ｍ２）が積層ラミネートされたもの（図示なし）で、シート１７１とは上記ＰＥシート面側で熱シールされる。紙には、香料を表１に示したように、後述する温熱具１に対して０．２９７〜０．６６８ｍｇ／ｃｍ２の範囲で賦香されたものを使用し、紙が発熱部１８の外側になるように配置した。香料はラベンダーオイル（前記成分Ａが主成分）の含有量が７７質量％のものを使用した（前記成分Ｂ：０質量％）。表１には、前記発熱粉体水分散物の１セルあたりの塗布量を変えた６種類の発熱体１３について、それぞれ賦香量を７種類変えたサンプル（未賦香品も含む）全４２個の香料／活性炭質量比を示した。
【００９２】
〔温熱具１の製造〕
第一シート１１として、ニードルパンチ不織布（通気度１秒／１００ｍｌ以下、坪量８０ｇ／ｍ２）を使用し、第二シート１２として、スパンボンド不織布（通気度１秒／１００ｍｌ以下、坪量３８ｇ／ｍ２）を使用した。そして、第一シート１１、第二シート１２の内側には、発熱部１８を２つ離間配置した（２セル配置）。その後、第一シート１１、第二シート１２の周縁部を密閉シールした。
さらに、図１に示すような配置で第一粘着層１４，第二粘着層１５を配置した。ゴム系の粘着剤を使用し、粘着剤を第一シート１１外面に塗布することで、第一粘着層１４，第二粘着層１５を設けた。第一粘着層１４，第二粘着層１５の粘着面積を合わせた総面積は３６ｃｍ２とし、総粘着剤量は０．６３ｇとした。製造後の温熱具１全体の平面視における面積は１３４．８ｃｍ２であった。
得られた温熱具１を、酸素バリア性を有する密閉容器（アルミピロー）に入れ、５０℃にて３日間保存した後に取り出し、２０℃５０％ＲＨ環境下に３時間保存した後、下記に示す評価を行った。
【００９３】
【表１】
2015016309.tif 000003
【００９４】
＜評価＞
上記表１に示した各温熱具１を以下のようにして評価し、その結果を表２〜６に示した。
【００９５】
〔発熱温度の測定〕
ＪＩＳ  Ｓ４１００に準拠した測定機を用いて、温熱具１の粘着面を測定機の測定面に貼り付けて、発熱測定を行った。発熱温度の評価項目として１０点測定したときの最高温度の平均値（℃）を表２に示す。最高温度の平均値が５３〜５７℃、特に５４〜５６℃の範囲にあれば、良好な温感が得られるとした。
【００９６】
【表２】
2015016309.tif 000004
【００９７】
〔香り立ちおよび香りの変化の評価〕
匂いの専門パネラー３名に試験品の温熱具１の香りを嗅がせ、量的な変化について「香り立ち」を０〜６までの７段階絶対評価を行い、質的な変化について「香りの変化」を０〜３の４段階絶対評価を行い、それぞれを平均した。なお、香りの変化が大きいものは、変化状態を専門パネルで協議した。結果を表３及び４に示す。香り立ちは２〜４が好ましく、２．５〜３がより好ましい。
＜香り立ちの評価基準：７段階絶対評価＞
０：無臭
１：ごく僅かに匂う
２：弱く匂う
３：はっきり匂う
４：強く匂う
５：かなり強く匂う
６：非常に強く匂う
＜香りの変化の評価基準：４段階絶対評価＞
０：まったく変化無し
１：ほとんど変化無し
２：少し変化している
３：かなり変化している
【００９８】
【表３】
2015016309.tif 000005
【００９９】
【表４】
2015016309.tif 000006
【０１００】
〔粘着力の評価〕
粘着力の測定は２０±２℃、５０±１５％の恒温室にて行った。図１１に示すように、表面が清浄かつ、平滑なステンレス板３０（Ａ４サイズ）を用意し、その表面をエタノールを含浸したエリエールプロワイプ（大王製紙株式会社）で拭き、その後エリエールプロワイプで乾拭きした。温熱具１（シート）を包装袋から取り出し、第一粘着層１４，第二粘着層１５部分に触れないようにシートを持ち、水平方向に置いたステンレス板３０上にシートをそっと広げて乗せた。２００ｇの分銅の側面を持ち、シートの上から、第一粘着層１４，第二粘着層１５部分を２回擦りながら押さえた。平面視においてシートの凸部が下方になるよう、速やかにステンレス板３０を壁に取り付けて垂直にし、１分間静置した。クリップ３２（ダブルクリップＣＰ−１０６：プラス  ステーショナリー株式会社、滑り止めとして１ｍｍ厚のシリコーン片をクリップ面に挟持する）のハンドルの先端にたこ紐で１００ｇの分銅３１を装着したものを２つ用意した。この分銅３１付きクリップ３２を、たこ紐を結んでいるハンドルをステンレス板３０側になるように向けて、シートの上部２箇所（発熱体と同じ筋にあり、第一粘着層１４，第二粘着層１５が塗工されていない部分）に装着した（図１１）。その際、片手で分銅３１を支えながらゆっくり手を下げて、分銅３１によりシートに荷重がかかり始めた時を測定開始時とした。シートがステンレス板３０から剥がれるまでの時間（左側が剥離するまでの秒数と、右側が剥離するまでの秒数の平均値）を測定し、その結果を表５に示し、以下のように評価した。
良好          ８２秒以上
やや良好      ８０秒超８２秒未満
良好でない    ８０秒以下
【０１０１】
【表５】
2015016309.tif 000007
【０１０２】
また、活性炭量の異なる６種の温熱具１のうち、上記の粘着力の評価時間について、それぞれ賦香量０ｇ／セルのものの時間に対する各賦香品の時間の比を表６に示し、以下のように評価した。
良好          ０．７５以上
やや良好      ０．７４超０．７５未満
良好でない    ０．７４以下
【０１０３】
【表６】
2015016309.tif 000008
【０１０４】
実施例２
〔温熱具２の製造〕
前記実施例１の「発熱体１３の製造」における基材層Ｒに塗布する発熱粉体水分散物の１セルあたりの量を１．６ｇ／２５ｃｍ２とし、前記実施例１の「発熱部１８の製造」における香料の賦香量を０．４４５ｍｇ／ｃｍ２とし、かつ、シート１７１を表７に示した通気度のものに変更した以外は実施例１と同様の操作により温熱具２を製造した。
【０１０５】
〔温熱具２の評価〕
製造した温熱具２について、前記「発熱温度の測定」に記載した方法に従い、発熱測定を行った。結果を表７に示す。なお、「香り立ち」、「香りの変化」及び「粘着力」の評価結果についてはいずれも、実施例１と同じ活性炭量及び賦香量における評価結果（表３〜６）と同じであった。
【０１０６】
【表７】
2015016309.tif 000009
【０１０７】
実施例３
〔発熱粉体の製造〕
前記実施例１の「発熱粉体水分散物の製造」にて使用した鉄粉、活性炭、水道水、塩化ナトリウム及び前記「発熱体１３の製造」にて使用した吸水性ポリマーを用い、次の手順に従って発熱粉体を製造した。
まず、鉄粉１００質量部、吸水性ポリマー１４．１質量部及び活性炭８質量部を混合し、次いで窒素雰囲気下にて１５．１質量％の食塩水７３質量部を混合し、発熱粉体を製造した。
【０１０８】
〔温熱具３の製造〕
前記実施例１の「発熱部１８の製造」の発熱体１３に替えて、前記にて得られた発熱粉体１．７２５ｇを窒素雰囲気下にて内寸５ｃｍ×５ｃｍに調整した内袋１７に入れ賦香した以外は、同様の操作により温熱具３を製造した。製造した温熱具３の活性炭量は１．０８４ｍｇ／ｃｍ２、賦香量は０．４４５ｍｇ／ｃｍ２であった。
【０１０９】
〔温熱具３の評価〕
前記得られた温熱具３について、「発熱特性」、「香り立ち」および「香りの変化」の評価及び「粘着力」の評価を行ったところ、次の結果となった。
・発熱特性（最高温度）：５３．７℃
・香り立ちの評価（７段階）：３．０
・香りの変化の評価（４段階）：０．３
・粘着力の評価（秒）：８７．０秒
・粘着力の評価（未賦香品に対する秒数の比）：０．７９１
【０１１０】
実施例４
〔温熱具４の製造〕
前記実施例１の「発熱体１３の製造」における基材層Ｒに塗布する発熱紛体水分散物の１セルあたりの量を１．６ｇ／２５ｃｍ２とし、前記実施例１の「発熱部１８の製造」における香料の賦香量を０．４４５ｍｇ／ｃｍ２とし、前記実施例１の「温熱具１の製造」における第二粘着層１５を図１２に示すような配置とした以外は実施例１と同様の操作により温熱具４を製造した。なお、このとき第二粘着層１５の合計面積は実施例１と同一とした。
【０１１１】
〔温熱具４の評価〕
前記得られた温熱具４について、「発熱特性」、「香り立ち」および「香りの変化」の評価及び「粘着力」の評価を行ったところ、次の結果となった。
・発熱特性（最高温度）：５５．２℃
・香り立ちの評価（７段階）：３．０
・香りの変化の評価（４段階）：０．３
・粘着力の評価（秒）：１０８秒
・粘着力の評価（未賦香品に対する秒数の比）：０．９８
【０１１２】
比較例１
〔温熱具５の製造〕
前記実施例１の「発熱粉体水分散物の製造」において、被酸化性金属１００質量部に対する炭素成分の量を６質量部、水の量を５５質量部とし、前記「発熱体１３の製造」において基材層Ｒに塗布する発熱粉体水分散物の１セルあたりの量を１．４ｇ／２５ｃｍ２とした以外は、実施例１と同様の操作により温熱具５を製造した。温熱具３における活性炭量は０．７５ｍｇ／ｃｍ２であり、香料／活性炭質量比は０．５９３であった。
【０１１３】
〔温熱具５の評価〕
製造した温熱具５について、「発熱特性」、「香り立ち」および「香りの変化」の評価及び「粘着力」の評価を行ったところ、次の結果となった。なお、「発熱特性」、「粘着力」両者の結果が悪かったため、香りの評価は実施しなかった。
・発熱特性（最高温度）：４９．３℃
・粘着力の評価（秒）：７９秒
【符号の説明】
【０１１４】
Ｂ    紙
ＢＴ    エコーガム
Ｃ    中心線
Ｒ    基材層
Ｓ    基材層
Ｗ１    幅
Ｗ２    幅
Ｗ３    幅
Ｘ    長手方向
Ｙ    幅方向
Ｙ    短手方向
１    温熱具
２    剥離紙
３    外装体
８    炭素成分
１１    第一シート
１２    第二シート
１３    発熱体
１４    第一粘着層
１５    第二粘着層
１７    内袋
１８    発熱部
２１    剥離部
２２    剥離部
２１Ａ    外周縁部
２１Ｂ    外周縁部
３０    ステンレス板
３１    分銅
３２    クリップ
１００    発熱物品
１１１    露出領域
１１２    露出領域
１１２Ａ    露出領域
１１２Ｂ    露出領域
１７１    シート
１７２    シート
【図１】
2015016309.tif 000010
【図２】
2015016309.tif 000011
【図３】
2015016309.tif 000012
【図４】
2015016309.tif 000013
【図５】
2015016309.tif 000014
【図６】
2015016309.tif 000015
【図７】
2015016309.tif 000016
【図８】
2015016309.tif 000017
【図９】
2015016309.tif 000018
【図１０】
2015016309.tif 000019
【図１１】
2015016309.tif 000020
【図１２】
2015016309.tif 000021